(57)【要約】【課題】各外刃ブロックの２段階フロートが可能な構成を有する電気かみそりにおいて、各外刃ブロックの肌への追従性能を向上させること。【解決手段】モータ１６を内蔵し保持枠部１２を有するヘッド部１１と、保持枠部１２に保持された複数の外刃ブロック１３と、モータ１６の駆動に基づいて往復駆動される内刃３１とを備えており、各外刃ブロック１３は、保持枠部１２に対してフロート支持されるとともに、保持枠部１２は、ヘッド部１１に対してフロート支持される。【選択図】図４
2011067421.tif 000002
【特許請求の範囲】
【請求項１】
駆動源を内蔵し、保持枠部を有するヘッド部と、
前記保持枠部に保持され、体毛が導入可能な外刃及び該外刃を支持する支持体からなる複数の外刃ブロックと、
前記各外刃の内側に配置され、前記駆動源の駆動に基づいて往復駆動される内刃と
を備えた電気かみそりであって、
前記各外刃ブロックは、前記保持枠部に対してフロート支持されるとともに、前記保持枠部は、前記ヘッド部に対してフロート支持されたことを特徴とする電気かみそり。
【請求項２】
請求項１に記載の電気かみそりにおいて、
前記保持枠部に対する前記各外刃ブロックのフロート力は、前記ヘッド部に対する前記保持枠部のフロート力よりも小さく設定されたことを特徴とする電気かみそり。
【請求項３】
請求項１又は２に記載の電気かみそりにおいて、
前記ヘッド部に対する前記保持枠部のフロート可能量は、前記保持枠部に対する前記各外刃ブロックのフロート可能量よりも大きく設定されたことを特徴とする電気かみそり。
【請求項４】
請求項１〜３のいずれか１項に記載の電気かみそりにおいて、
前記各内刃は、該内刃と前記外刃ブロックとの間に介在された付勢部材の付勢力により前記外刃の内面に押圧されるように構成されたことを特徴とする電気かみそり。
【発明の詳細な説明】
【技術分野】
【０００１】
本発明は、髭等の体毛を剃るための電気かみそりに関するものである。
【背景技術】
【０００２】
従来、電気かみそりは、駆動源を内蔵するヘッド部と、ヘッド部に設けられた保持枠部と、保持枠部に保持され体毛が導入可能な外刃及び該外刃を支持する支持体からなる（複数）外刃ブロックと、各外刃の内側に配置され前記駆動源の駆動に基づいて往復駆動される内刃とを備えている。このような電気かみそりにおいて、例えば特許文献１のものでは、各外刃ブロックは上下動自在に支持されるとともに、バネにより上方に付勢されている（所謂フロート支持されている）。これにより、各外刃ブロックの外刃で構成される刃面が肌の形状に追従し、剃り性能の向上に繋がる髭の外刃内への導入率の向上が図られている。
【０００３】
また、電気かみそりは、ヘッド部と、該ヘッド部を支持する胴部とから構成されており、該ヘッド部は、胴部の上端部において上下動自在、且つバネにより上方に付勢されて支持（フロート支持）されている。このように、各外刃ブロックがヘッド部（若しくは保持枠部）に対してフロート支持され、そのヘッド部全体は胴部に対してフロート支持されているため、外刃ブロックの２段階のフロート動作が可能となり、その結果、肌に対する刃面の追従性能が向上するようになっている。
【先行技術文献】
【特許文献】
【０００４】
【特許文献１】特許第３９４５３７６号公報
【発明の概要】
【発明が解決しようとする課題】
【０００５】
しかしながら、上記特許文献１の電気かみそりでは、各外刃ブロックの２段階フロートが可能となってはいるものの、ヘッド部に駆動源及び内刃への動力伝達機構等が内蔵されているため、ヘッド部の重量が重く、ヘッド部が肌に対して追従し難いといった問題があった。
【０００６】
本発明は、上記課題を解決するためになされたものであって、その目的は、各外刃ブロックの２段階フロートが可能な構成を有する電気かみそりにおいて、各外刃ブロックの肌への追従性能を向上させることにある。
【課題を解決するための手段】
【０００７】
上記課題を解決するために、請求項１に記載の発明は、駆動源を内蔵し、保持枠部を有するヘッド部と、前記保持枠部に保持され、体毛が導入可能な外刃及び該外刃を支持する支持体からなる複数の外刃ブロックと、前記各外刃の内側に配置され、前記駆動源の駆動に基づいて往復駆動される内刃とを備えた電気かみそりであって、前記各外刃ブロックは、前記保持枠部に対してフロート支持されるとともに、前記保持枠部は、前記ヘッド部に対してフロート支持されたことを特徴とする。
【０００８】
この発明では、外刃ブロックが保持枠部に対してフロート支持されるとともに、その保持枠部はヘッド部に対してフロート支持され、これにより、各外刃ブロックの２段階フロートが可能となる。即ち、ヘッド部の一部である保持枠部をフロートさせることで２段階フロートが可能となるため、ヘッド部全体をフロートさせて２段階フロートを実現する構成と比べて、各外刃ブロックの肌への追従性能を向上させることが可能となる。
【０００９】
請求項２に記載の発明は、請求項１に記載の電気かみそりにおいて、前記保持枠部に対する前記各外刃ブロックのフロート力は、前記ヘッド部に対する前記保持枠部のフロート力よりも小さく設定されたことを特徴とする。
【００１０】
この発明では、各外刃ブロックが保持枠部よりもフロートし易くなるため、保持枠部が大きくフロートするよりも先に、各外刃ブロックを肌の細かい凹凸に追従させることが可能となる。
【００１１】
請求項３に記載の発明は、請求項１又は２に記載の電気かみそりにおいて、前記ヘッド部に対する前記保持枠部のフロート可能量は、前記保持枠部に対する前記各外刃ブロックのフロート可能量よりも大きく設定されたことを特徴とする。
【００１２】
この発明では、外刃ブロックを肌に対してより好適に追従させることが可能となる。
請求項４に記載の発明は、請求項１〜３のいずれか１項に記載の電気かみそりにおいて、前記各内刃は、該内刃と前記外刃ブロックとの間に介在された付勢部材の付勢力により前記外刃の内面に押圧されるように構成されたことを特徴とする。
【００１３】
この発明では、外刃が肌に押し付けられて外刃ブロックがフロートした状態においても、内刃の外刃に対する押圧力が増加せずに一定となるため、その押圧力の増加によって生じる温度上昇や駆動源の負荷の増加を抑えることが可能となる。
【発明の効果】
【００１４】
従って、上記記載の発明によれば、各外刃ブロックの２段階フロートが可能な構成を有する電気かみそりにおいて、各外刃ブロックの肌への追従性能を向上させることができる。
【図面の簡単な説明】
【００１５】
【図１】本実施形態の電気かみそりを部分的に示す斜視図。
【図２】電気かみそりを模式的に示す平面図。
【図３】電気かみそりを模式的に示す正面図。
【図４】外刃ブロックの支持構造を模式的に示す断面図。
【発明を実施するための形態】
【００１６】
以下、本発明を具体化した一実施形態を図面に従って説明する。
図１に示すように、本実施形態の電気かみそり１の本体部は、ヘッド部１１と、該ヘッド部１１を支持する図示しない胴部とから構成されている。ヘッド部１１は、その上部に保持枠部１２を有し、該保持枠部１２には４つの外刃ブロック１３が保持されている。
【００１７】
保持枠部１２は、図３に示すように、ヘッド部１１に対して接近及び離間する方向（上下方向）に移動可能に設けられるとともに、保持枠部１２のフロート用の圧縮ばね１４により上方（ヘッド部１１から離間する方向）に付勢されている。即ち、保持枠部１２は、ヘッド部１１に対して上下方向にフロート支持されるようになっている。
【００１８】
詳述すると、保持枠部１２の左右方向（幅方向）の両端部には、ヘッド部１１側に延びる取付部１５がそれぞれ形成されており、その各取付部１５には、左右方向に貫通する係合孔１５ａが形成されている。各取付部１５の係合孔１５ａには、ヘッド部１１の左右方向両端部からそれぞれ延出形成された係合凸部１１ａが挿入され、これにより、保持枠部１２がヘッド部１１から脱落することなく支持されている。
【００１９】
係合孔１５ａの上下方向幅は、係合凸部１１ａの上下方向幅よりも大きく形成されており、保持枠部１２の上下方向の移動が許容されるようになっている。そして、保持枠部１２とヘッド部１１との間には、保持枠部１２のフロート用の圧縮ばね１４が複数介在されており、各圧縮ばね１４は保持枠部１２に対してヘッド部１１から離間させる方向（上方）への付勢力を付与している。これにより、通常状態（外刃ブロック１３に下向きの荷重が掛かっていない状態）において、係合凸部１１ａは係合孔１５ａの下端部と係合するとともに、係合孔１５ａの上端部との間には隙間が空いている。
【００２０】
保持枠部１２は、図１及び図２に示すように、左右方向に対向する一対の側壁部１２ａと、前後方向に対向する一対の側壁部１２ｂとを有し、その各側壁部１２ａ，１２ｂで構成される枠の内側において各外刃ブロック１３が前後方向に並んで着脱可能に装着されている。
【００２１】
各外刃ブロック１３は、保持枠部１２に着脱可能に保持された樹脂製の支持体２１と、支持体２１に支持された外刃２２とから構成され、左右方向に長い長尺状をなしている。
各支持体２１は、保持枠部１２の左右方向に対向する側壁部１２ａに上下方向に移動可能に支持されている。支持体２１の左右方向両側には突出形成された突起部２１ａは、各側壁部１２ａに形成された凹部１２ｃ内に位置している（図４参照）。側壁部１２ａの凹部１２ｃの上下方向幅は、突起部２１ａの上下方向幅よりも大きく形成されている。つまり、各外刃ブロック１３は、上下方向における突起部２１ａの移動可能な幅だけ上下方向の移動が許容されており、凹部１２ｃ及び突起部２１ａは外刃ブロック１３の抜け止めの役割を果たしている。
【００２２】
各外刃ブロック１３は、保持枠部１２に対してフロート支持されている。詳述すると、図４に示すように、各外刃ブロック１３の支持体２１と保持枠部１２の底部１２ｄとの間には、外刃ブロック１３のフロート用の圧縮ばね２３が複数介在されており、その圧縮ばね２３は外刃ブロック１３に対して上方への付勢力を付与している。各外刃ブロック１３は、上方から荷重を受けると、圧縮ばね２３の付勢力に抗して下方に沈み、その荷重がなくなると、圧縮ばね２３の付勢力にて図４に示す通常位置（突起部２１ａが凹部１２ｃの上端部に当接する位置）に戻るようになっている。
【００２３】
尚、各外刃ブロック１３のフロート用の圧縮ばね２３の付勢力（各外刃ブロック１３のフロート力）は、保持枠部１２のフロート用の圧縮ばね１４の付勢力（保持枠部１２のフロート力）よりも小さく設定されている。また、ヘッド部１１に対する保持枠部１２のフロート可能量（上下方向における最大可動量）は、保持枠部１２に対する各外刃ブロック１３のフロート可能量よりも大きく設定されている。
【００２４】
各外刃２２は、金属薄板に体毛を導入可能な導入孔（図示略）が多数形成されてなる。その各外刃２２の内部側には、ヘッド部１１内に設けられたモータ１６（図４参照）の駆動により左右方向に往復振動される内刃３１が設けられている。尚、外刃２２は、粗剃り用のネット外刃、仕上げ用のネット外刃、及び長い体毛を剃るのに適したスリット外刃の３種類で構成されている。
【００２５】
内刃３１と支持体２１の底部２１ｂとの間には、内刃押圧用の圧縮ばね３２（付勢部材）が複数介在されており、その圧縮ばね３２は内刃３１に対して上方への付勢力を付与している。これにより、内刃３１は、圧縮ばね３２により外刃２２の内面２２ａに押圧されている。
【００２６】
モータ１６は、前記胴部に設けられた操作スイッチ（図示略）の操作に基づき駆動され、その駆動力にて各内刃３１が往復振動される。そして、各外刃２２内に導入された髭等の体毛がその外刃２２と往復振動する内刃３１とで挟んで切除されるようになっている。
【００２７】
上記したような電気かみそり１では、各外刃ブロック１３のフロート力が、保持枠部１２のフロート力よりも小さく設定されているため、外刃２２を肌に押し当てたときに、保持枠部１２よりも各外刃ブロック１３の方がフロートし易くなっている。このため、保持枠部１２が大きくフロートするよりも先に、各外刃ブロック１３の外刃２２で構成される刃面が各外刃ブロック１３のフロートにより肌に追従するようになっている。そして、外刃ブロック１３に掛かる荷重が所定以上となると、各外刃ブロック１３が肌に追従する状態で保持枠部１２の傾斜も肌に追従し、その結果、より好適な剃り味が得られるようになっている。
【００２８】
次に、本実施形態の特徴的な作用効果を記載する。
（１）本実施形態では、モータ１６を内蔵し保持枠部１２を有するヘッド部１１と、保持枠部１２に保持された複数の外刃ブロック１３と、モータ１６の駆動に基づいて往復駆動される内刃３１とを備えており、各外刃ブロック１３は、保持枠部１２に対してフロート支持されるとともに、保持枠部１２は、ヘッド部１１に対してフロート支持される。即ち、ヘッド部１１の一部である保持枠部１２をフロートさせることで外刃ブロック１３の２段階フロートが可能となるため、ヘッド部１１全体をフロートさせて２段階フロートを実現する構成と比べて、各外刃ブロック１３の肌への追従性能を向上させることが可能となる。
【００２９】
（２）本実施形態では、保持枠部１２に対する各外刃ブロック１３のフロート力は、ヘッド部１１に対する保持枠部１２のフロート力よりも小さく設定される。これにより、各外刃ブロック１３が保持枠部１２よりもフロートし易くなるため、保持枠部１２が大きくフロートするよりも先に、各外刃ブロック１３を肌の細かい凹凸に追従させることが可能となる。
【００３０】
（３）本実施形態では、ヘッド部１１に対する保持枠部１２のフロート可能量は、保持枠部１２に対する各外刃ブロック１３のフロート可能量よりも大きく設定されるため、外刃ブロック１３を肌に対してより好適に追従させることが可能となる。
【００３１】
（４）本実施形態では、各内刃３１は、該内刃３１と外刃ブロック１３との間に介在された内刃押圧用の圧縮ばね３２の付勢力により外刃２２の内面に押圧されるように構成される。これにより、外刃２２が肌に押し付けられて外刃ブロック１３がフロートした状態においても、内刃３１の外刃２２に対する押圧力が増加せずに一定となるため、その押圧力の増加によって生じる温度上昇やモータ１６の負荷の増加を抑えることが可能となる。
【００３２】
尚、本発明の実施形態は、以下のように変更してもよい。
・上記実施形態では、内刃押圧用の圧縮ばね３２は、内刃３１と支持体２１の底部２１ｂとの間に介在されたが、これ以外に例えば、内刃３１と保持枠部１２の底部１２ｄとの間、又は内刃３１とヘッド部１１との間に介在させてもよい。
【００３３】
・上記実施形態では、ヘッド部１１に対する保持枠部１２のフロート可能量は、保持枠部１２に対する各外刃ブロック１３のフロート可能量よりも大きく設定されたが、反対に保持枠部１２のフロート可能量を各外刃ブロック１３のフロート可能量よりも小さく設定してもよい。
【００３４】
・上記実施形態では、保持枠部１２に対する各外刃ブロック１３のフロート力は、ヘッド部１１に対する保持枠部１２のフロート力よりも小さく設定されたが、反対に各外刃ブロック１３のフロート力を保持枠部１２のフロート力よりも大きく設定してもよい。この構成によれば、各外刃ブロック１３よりも保持枠部１２の方がフロートし易くなり、平らな肌に対する剃り味の向上を図ることができる。
【００３５】
・上記実施形態における保持枠部１２のフロート用の圧縮ばね１４、各外刃ブロック１３のフロート用の圧縮ばね２３及び内刃押圧用の圧縮ばね３２のそれぞれの個数及び配置位置は、構成に応じて適宜変更してもよい。
【００３６】
・上記実施形態では、外刃ブロック１３が４つ設けられた所謂４枚刃の構成であったが、特にこれに限定されるものではなく、２枚刃や３枚刃、又は５枚刃以上の構成としてもよい。
【００３７】
・上記実施形態において、ヘッド部１１は胴部に対して固定される構成としてもよく、また、胴部に対して可動するように構成してもよい。尚、ヘッド部１１を胴部に対して上下方向に移動可能に構成した場合、各外刃ブロック１３の３段階のフロート動作が可能な構成とすることができる。
【符号の説明】
【００３８】
１…電気かみそり、１１…ヘッド部、１２…保持枠部、１３…外刃ブロック、２１…支持体、２２…外刃、２２ａ…外刃の内面、３１…内刃、３２…付勢部材としての圧縮ばね。
【図１】
2011067421.tif 000003
【図２】
2011067421.tif 000004
【図３】
2011067421.tif 000005
【図４】
2011067421.tif 000006